Podtech/llm-jp-corpus-v4-ja_patent huggingface dataset:
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
配列番号１に示すアミノ酸配列を有するポリペプチド。
【請求項２】
請求項１記載のポリペプチドを含有する、細胞接着促進剤。
【請求項３】
請求項１記載のポリペプチドの有効濃度を細胞に接触させることを含む、細胞の接着を促進させる方法。
【請求項４】
請求項１記載のポリペプチドを有効成分として含有する、医薬。
【請求項５】
水性液剤である請求項４記載の医薬。
【請求項６】
角膜上皮障害の予防又は治療用である請求項４記載の医薬。
【請求項７】
細胞の接着を促進させるための、配列番号１に示すアミノ酸配列を有するポリペプチド。
【請求項８】
角膜上皮障害の予防又は治療のための、配列番号１に示すアミノ酸配列を有するポリペプチド。
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
下痢型IBSまたは交代型IBSを治療するためのリファキシミンを含む医薬組成物であって、それを必要とする被験体に550mgのリファキシミンTIDを投与するように使用される、前記医薬組成物。
【請求項２】
約14日間〜約24ヵ月間、被験体にリファキシミンを投与するように使用される、請求項1に記載の医薬組成物。
【請求項３】
下痢型IBSまたは交代型IBSの治療が、IBS症状またはIBSの腹部膨満感症状のうちの1以上の治療を含む、請求項1に記載の医薬組成物。
【請求項４】
1以上のIBS症状の治療が、ベースライン症状からの減少を含む、請求項3に記載の医薬組成物。
【請求項５】
IBS症状が、けいれん、疼痛、下痢、便秘、塊様便、水様便、頻回便、腹痛、腹部不快感、排便切迫、またはテネスムスのうち1以上を含む、請求項3に記載の医薬組成物。
【請求項６】
IBSの腹部膨満感症状の治療が、治療前に確認されたベースライン症状からの減少を含む、請求項3に記載の医薬組成物。
【請求項７】
被験体が女性である、請求項1に記載の医薬組成物。
【請求項８】
被験体が、65歳以上の被験体を含む、請求項1に記載の医薬組成物。
【請求項９】
被験体が非白人であると決定される、請求項1に記載の医薬組成物。
【請求項１０】
週間IBS包括的症状、週間IBS腹部膨満感症状、IBS一日症状評価、一日IBS包括的症状、一日IBS腹部膨満感症状、または一日IBS腹痛症状のうちいずれか1つの改善により、治療を判定する、請求項1〜9のいずれか1項に記載の医薬組成物。
【請求項１１】
下痢型IBSまたは交代型IBSの治療が、IBSの疼痛症状の治療を含む、請求項1に記載の医薬組成物。
【請求項１２】
IBSの疼痛症状が腹痛を含む、請求項11に記載の医薬組成物。
【請求項１３】
IBSの疼痛症状の治療が、疼痛の十分な軽減を含む、請求項11に記載の医薬組成物。
【請求項１４】
疼痛の十分な軽減が、疼痛症状の減少を含む、請求項13に記載の医薬組成物。
【請求項１５】
疼痛の減少が、ベースライン症状からの減少を含む、請求項14に記載の医薬組成物。
【請求項１６】
治療前にベースライン症状が確認される、請求項15に記載の医薬組成物。
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
治療的有効量の1またはそれ以上のmiRNA分子またはその機能的変異体を含む組成物の製造方法であって、該miRNAが該体液またはその成分の活性化において体液またはその成分中で上方調節される、以下の工程を含む製造方法：
a)  該体液またはその成分を哺乳動物から回収し、
b)  回収した体液またはその成分を、増加した表面積と接触させてインキュベーションし、
c)  工程b)後に製造された該体液を回収し、次いで所望により該miRANを精製する。
【請求項２】
該体液またはその成分が、工程b)において24時間以上、48時間以上、60時間以上、72時間、84時間、96時間、120時間、または150時間インキュベーションされる請求項１記載の方法。
【請求項３】
治療的有効量の1またはそれ以上のmiRNA分子またはその機能的変異体を含む組成物の製造方法であって、該miRNAが該体液またはその成分の活性化において体液またはその成分中で上方調節される、以下の工程を含む製造方法：
a)  該体液またはその成分を哺乳動物から回収し、
b)  回収した体液またはその成分を、増加した表面積と接触させてインキュベーションし、
c)  該体液またはその成分中の上方調節された1またはそれ以上のmiRNAを同定し、
d)  工程c)で同定された1またはそれ以上のmiRNA分子を単離された形で得、次いでそれを該組成物に加える。
【請求項４】
該体液またはその成分が、単球細胞培養、造血幹細胞培養、または胎盤起源の細胞培養を包含するin vitro細胞培養である請求項1〜3のいずれかに記載の方法。
【請求項５】
該体液またはその成分が血清調製物である請求項1〜3のいずれかに記載の方法。
【請求項６】
該哺乳動物がヒトである請求項1〜5のいずれかに記載の方法。
【請求項７】
該哺乳動物が家畜である請求項1〜6のいずれかに記載の方法。
【請求項８】
該体液またはその成分が健康な個体と病気の個体の組み合わせから回収される請求項1〜7のいずれかに記載の方法。
【請求項９】
該1またはそれ以上のmiRNAの濃度レベルが、工程b)で活性化されていない組成物中のmiRNAの濃度レベルに比べて、少なくとも50%、少なくとも100%、少なくとも200%、少なくとも300%、少なくとも400%、少なくとも500%、少なくとも600%、少なくとも700%、または少なくとも800%上方調節される請求項1〜8のいずれかに記載の方法。
【請求項１０】
回収した体液またはその成分を、合成または別の供給源由来のmiRNAの存在下で、増加した表面積と接触させてインキュベーションする工程をさらに含む請求項1〜9のいずれかに記載の方法。
【請求項１１】
該体液またはその成分を細胞増殖培地中でインキュベーションすることをさらに含む請求項1〜10のいずれかに記載の方法。
【請求項１２】
さらにポリエチレンイミン(PEI)コートした鉄磁性ナノ粒子を包含する磁性ナノ粒子の調製物を含む請求項1〜11のいずれかに記載の方法。
【請求項１３】
医薬として用いるための、治療的有効量の1またはそれ以上のmiRNA分子またはその機能的変異体を含む組成物であって、該miRNAが体液またはその成分の活性化において該体液またはその成分中で上方調節される組成物。
【請求項１４】
炎症に関連した疾患もしくは障害、免疫系の望ましくない活性化を包含する免疫系の疾患、および/または癌もしくは異常な細胞増殖もしくは細胞分裂に関連する他の兆候の症状を治療または軽減するために用いる請求項13記載の組成物。
【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2013504541.tif 000001
式中、
Ｒ１およびＲ２は独立して、水素、メチル、エチル、プロピルおよびイソプロピルから選択されるか、
あるいはＲ１およびＲ２は共に、弓状点線により表わされた飽和またはモノ不飽和５または６員炭化水素環を形成し、
Ｒ３は、メチルおよびエチルから選択され、
Ｒ４は、メチル、エチル、プロピル、イソプロピル、シクロプロピル、ブチル、イソブチル、シクロブチルおよびシクロペンチルから選択され、
Ｒ５は、水素およびメチルから選択され、および
３’’および４’’位の間の点線は、任意の二重結合を表わす、
で表わされる化合物であって、
ここで、前記式（Ｉ）で表される化合物は、
２’−メチル−２’−（３’’−メチルヘキサ−３’’−エン−２’’−イルオキシ）プロピルシクロプロパンカルボキシレート、
２’−（３’’−エチル−５’’−メチルヘキサ−３’’−エン−２’’−イルオキシ）−２’−メチルプロピルシクロプロパンカルボキシレート、
２’−（３’’−エチル−５’’−メチルヘキサ−３’’−エン−２’’−イルオキシ）−２’−メチルプロピルプロピオネート、
２’−（３’’−エチル−５’’−メチルヘキサ−３’’−エン−２’’−イルオキシ）−２’−メチルプロピルシクロブタンカルボキシレート、
２’−（３’’，６’’−ジメチルヘプタ−３’’−エン−２’’−イルオキシ）−２’−メチルプロピルシクロプロパンカルボキシレート、
２’−（３’’，５’’−ジメチルヘプタ−３’’−エン−２’’−イルオキシ）−２’−メチルプロピルシクロプロパンカルボキシレート、
および２’−（４’’−（シクロヘキサ−３’’’−エニル）−３’’−メチルブタ−３’’−エン−２’’−イルオキシ）−２’−メチルプロピルイソブチレート
からなる群から選択される。
【請求項２】
２’−メチル−２’−（３’’−メチルヘキサ−３’’−エン−２’’−イルオキシ）プロピルシクロプロパンカルボキシレート、
２’−（３’’−エチル−５’’−メチルヘキサ−３’’−エン−２’’−イルオキシ）−２’−メチルプロピルシクロプロパンカルボキシレート、
２’−（３’’−エチル−５’’−メチルヘキサ−３’’−エン−２’’−イルオキシ）−２’−メチルプロピルプロピオネート、
２’−（３’’−エチル−５’’−メチルヘキサ−３’’−エン−２’’−イルオキシ）−２’−メチルプロピルシクロブタンカルボキシレート、２’−（３’’，５’’−ジメチルヘプタ−３’’−エン−２’’−イルオキシ）−２’−メチルプロピルシクロプロパンカルボキシレート、
からなる群から選択される、請求項１に記載の化合物。
【請求項３】
請求項１に定義された化合物の着臭剤としての使用。
【請求項４】
１種または２種以上のフレグランス原料および少なくとも１種の請求項１に定義された化合物を含む、フレグランス組成物。
【請求項５】
フレグランス組成物を創作、増強または修正する方法であって、請求項１に記載の化合物を単独でまたは少なくとも１種の他のフレグランス原料と組み合わせて使用することによる、前記方法。
【請求項６】
フレグランス利用品を改善、増強または修正する方法であって、有効量の請求項１に定義された化合物の添加を含む、前記方法。
【請求項７】
フレグランス利用品が香水、家庭用品、ランドリー製品、ボディケア用品および化粧品からなる群から選択される、請求項５または６に記載の方法。
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
個体における粘液分泌を抑制するための、グアイフェネシンを含む医薬組成物。
【請求項２】
約600mg〜1200mgのグアイフェネシンを含む、請求項１に記載の医薬組成物。
【請求項３】
錠剤または散剤の形態である、請求項１に記載の医薬組成物。
【請求項４】
カプセル剤、液剤または液状ゲル剤の形態である、請求項１に記載の医薬組成物。
【請求項５】
前記粘液分泌が、個体の上気道内で引き起こされる、請求項１に記載の医薬組成物。
【請求項６】
前記組成物が、1種以上の活性薬をさらに含む、請求項１に記載の医薬組成物。
【請求項７】
前記1種以上の活性薬が、鎮咳薬、うっ血除去薬、及び抗ヒスタミン薬から成る群より選択される、請求項６に記載の医薬組成物。
【請求項８】
前記鎮咳薬がデキストロメトルファン臭化水素酸塩を含む、請求項７に記載の医薬組成物。
【請求項９】
前記うっ血除去薬が、フェニレフリン塩酸塩、プソイドエフェドリン塩酸塩及びエフェドリンから成る群より選択される、請求項７に記載の医薬組成物。
【請求項１０】
前記抗ヒスタミン薬が、クロルフェニラミンマレイン酸塩、ブロムフェニラミンマレイン酸塩、フェニンダミン酒石酸塩、ピリラミンマレイン酸塩、ドキシラミンコハク酸塩、フェニルトロキサミンクエン酸塩、ジフェンヒドラミン塩酸塩、プロメタジン、クレマスチンフマル酸塩、及びフェキソフェナジンから成る群より選択される、請求項７に記載の医薬組成物。
【請求項１１】
前記粘液分泌の抑制が約12時間にわたって治療的に達成されるように、前記組成物が即時放出部分と持続放出部分を含む、請求項１に記載の医薬組成物。
【請求項１２】
グアイフェネシンを含む、ムチン分泌増加を特徴とする疾患又は状態を有する個体を治療するための医薬組成物。
【請求項１３】
約600mg〜1200mgのグアイフェネシンを含む、請求項１２に記載の医薬組成物。
【請求項１４】
錠剤または散在の形態である、請求項１２に記載の医薬組成物。
【請求項１５】
カプセル剤、液剤または液状ゲル剤の形態である、請求項１２に記載の医薬組成物。
【請求項１６】
前記粘液分泌が、個体の上気道内で引き起こされる、請求項１２に記載の医薬組成物。
【請求項１７】
前記組成物が、1種以上の活性薬をさらに含む、請求項１２に記載の医薬組成物。
【請求項１８】
前記1種以上の活性薬が、鎮咳薬、うっ血除去薬、及び抗ヒスタミン薬から成る群より選択される、請求項１７に記載の医薬組成物。
【請求項１９】
前記鎮咳薬がデキストロメトルファン臭化水素酸塩を含む、請求項１８に記載の医薬組成物。
【請求項２０】
前記うっ血除去薬が、フェニレフリン塩酸塩、プソイドエフェドリン塩酸塩及びエフェドリンから成る群より選択される、請求項１８に記載の医薬組成物。
【請求項２１】
前記抗ヒスタミン薬が、クロルフェニラミンマレイン酸塩、ブロムフェニラミンマレイン酸塩、フェニンダミン酒石酸塩、ピリラミンマレイン酸塩、ドキシラミンコハク酸塩、フェニルトロキサミンクエン酸塩、ジフェンヒドラミン塩酸塩、プロメタジン、クレマスチンフマル酸塩、及びフェキソフェナジンから成る群より選択される、請求項１８に記載の医薬組成物。
【請求項２２】
前記粘液分泌の抑制が約12時間にわたって治療的に達成されるように、前記組成物が即時放出部分と持続放出部分を含む、請求項１２に記載の医薬組成物。
【請求項２３】
グアイフェネシンの1日の用量が2400mgである、請求項１２に記載の医薬組成物。
【請求項２４】
前記ムチン分泌増加を特徴とする疾患又は状態が、気道の感染状態及び炎症状態から選択される、請求項１２に記載の医薬組成物。
【請求項２５】
グアイフェネシンの1日の用量が2400mgである、請求項１に記載の医薬組成物。
【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
プローブカードアセンブリであって、
テストされる電子デバイスのテストを制御するためのテスターへの電気インターフェイスを備える配線基板と、
テストされる前記電子デバイスの端子に対応するパターンで配置された複数のプローブを備えるプローブ基板であって、それぞれの前記プローブが、カーボンナノチューブのバンドルを含むカーボンナノチューブカラムを備えるプローブ基板と、
前記カーボンナノチューブカラムのうちの１つを前記プローブ基板の複数の端子のうちの１つに接合する接着材料接合部であって、それぞれの前記接着材料接合部が、前記カーボンナノチューブカラムのうちの前記１つのカーボンナノチューブカラムと、前記複数の端子のうちの前記１つの端子とに溶着された焼結ナノ粒子の塊を含む、接着材料接合部と、
を備え、
前記プローブ基板が前記配線基板に機械的に結合され、前記プローブが、前記プローブ基板及び前記配線基板を通して前記電気インターフェイスに電気的に接続されるプローブカードアセンブリ。
【請求項２】
それぞれの前記カーボンナノチューブカラムが、前記カーボンナノチューブの長さに沿った複数の交互の剛性領域及び軟質領域を有し、各軟質領域が、前記剛性領域のそれぞれの剛性値よりも低い剛性値を有する、請求項１に記載のプローブカードアセンブリ。
【請求項３】
前記カーボンナノチューブカラムのそれぞれの外側に配置された前記カーボンナノチューブの少なくとも一部上に堆積された導電性金属をさらに含み、前記金属が前記カーボンナノチューブカラムの導電性を高くする、請求項１に記載のプローブカードアセンブリ。
【請求項４】
前記カーボンナノチューブカラムのそれぞれの内側に配置された前記カーボンナノチューブの少なくとも一部上に堆積された導電性金属をさらに含み、前記金属が前記カーボンナノチューブカラムの導電性を高くする、請求項１に記載のプローブカードアセンブリ。
【請求項５】
前記接着材料接合部によって、前記カーボンナノチューブカラムの第１の端部が、前記プローブ基板の前記端子に接合され、
前記第１の端部と反対の前記カーボンナノチューブカラムの第２の端部が、コンタクトチップを備える、請求項１に記載のプローブカードアセンブリ。
【請求項６】
各コンタクトチップが、
前記カーボンナノチューブカラムの前記第２の端部の鋭利な構造と、
前記カーボンナノチューブカラムの前記第２の端部上に堆積された導電性金属と、
を有する、請求項５に記載のプローブカードアセンブリ。
【請求項７】
各コンタクトチップが、前記カーボンナノチューブカラムの前記第２の端部に接合材料によって結合されたコンタクトチップ構造を有する、請求項５に記載のプローブカードアセンブリ。
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
以下：
【化１】
2013504590.tif 000001
[式中、
Xはヨウ素の放射性同位体であり；
nは12〜30の整数であり；そして
Yは、N+H3、HN+(R)2、N+H2R、及びN+(R)3からなる群から選択され、ここでRは、アルキル又はアリールアルキル置換基である]
の化合物又は
【化２】
2013504590.tif 000002
[式中、
Xはヨウ素の放射性同位体であり；
nは12〜30の整数であり；
YはH、OH、COOH、COOR及びORからなる群から選択され；そして
Zは、N+H3、HN+(R)2、N+H2R、及びN+(R)3からなる群から選択され、ここでRは、アルキル又はアリールアルキル置換基である]
の化合物から選択される放射性リン脂質化合物（ｉ）、並びに以下：
【化３】
2013504590.tif 000003
[式中、
Xは：a)ヨウ素の非放射性同位体、又はb)Hであり；
nは12〜30の整数であり；そして
Yは、N+H3、HN+(R)2、N+H2R、及びN+(R)3からなる群から選択され、ここでRは、アルキル又はアリールアルキル置換基である]
の化合物並びに
【化４】
2013504590.tif 000004
[式中、
Xは：a)ヨウ素の非放射性同位体、又はb)Hであり；
nは12〜30の整数であり；
YはH、OH、COOH、COOR及びORからなる群から選択され；そして
Zは、N+H3、HN+(R)2、N+H2R、及びN+(R)3からなる群から選択され、ここでRは、アルキル又はアリールアルキル置換基である]
の化合物から選択される非放射性リン脂質化合物阻害剤（ｉｉ）を含有し、当該放射性リン脂質化合物及び非放射性化合物が、単一の組成物として製剤化され、かつ当該非放射性リン脂質化合物対当該放射性リン脂質化合物の比率が、重量比で約１０：１である、組合せ医薬剤。
【請求項２】
前記ヨウ素の放射性同位体が、123I、124I、125I、及び131Iからなる群から選択される、請求項１に記載の組合せ医薬剤。
【請求項３】
前記放射性リン脂質化合物が、18-(p-ヨードフェニル)オクタデシルホスホコリン、1-O-[18-(p-ヨードフェニル)オクタデシル]-1,3-プロパンジオール-3-ホスホコリン、及び1-O-[18-(p-ヨードフェニル)オクタデシル]-2-O-メチル-ラク-グリセロ-3-ホスホコリンからなる群から選択され、ここでヨウ素が放射性同位体である、請求項１に記載の組合せ医薬剤。
【請求項４】
式：
【化５】
2013504590.tif 000005
[式中、
Iがヨウ素の非放射性同位体である]
の非放射性リン脂質化合物、又はその医薬として許容される塩、及び
式：
【化６】
2013504590.tif 000006
[式中、
Iがヨウ素の放射性同位体である]
の放射性リン脂質化合物を含有し、当該放射性リン脂質化合物及び非放射性化合物が、単一の組成物として製剤化され、かつ当該非放射性リン脂質化合物対当該放射性リン脂質化合物の比率が、重量比で約１０：１である、組合せ医薬剤。
【請求項５】
前記ヨウ素の放射性同位体が、123I、124I、125I及び131Iからなる群から選択される、請求項４に記載の組合せ医薬剤。
【請求項６】
ヒト患者に投与されたとき、前記非放射性化合物の血清中濃度を約5μM〜約10μMに到達させることが出来る、請求項１に記載の組合せ医薬剤。
【請求項７】
固形癌を治療するための請求項１又は４のいずれかに記載の組合せ医薬剤であり、当該治療が、治療有効量の当該組合せ医薬剤を固形癌の治療を必要とする患者に投与する工程を含む、当該組合せ医薬剤。
【請求項８】
前記固形癌が、肺癌、乳癌、神経膠腫、扁平上皮癌、前立腺癌、黒色腫、腎臓癌、直腸結腸癌、卵巣癌、膵臓癌、肉腫及び胃癌からなる群から選択される、請求項７に記載の組合せ医薬剤。
【請求項９】
前記治療有効量が、約7 mCi〜約700 mCiである、請求項７に記載の組合せ医薬剤。
【請求項１０】
以下の構造
【化７】
2013504590.tif 000007
[式中、
Xは：a)ヨウ素の非放射性同位体、又はb)Hであり；
nは12〜30の整数であり；そして
YはN+H3、HN+(R)2、N+H2R、及びN+(R)3からなる群から選択され、ここでRは、アルキル又はアリールアルキル置換基である]
を有する化合物を含有する医薬調製物であり、当該化合物が、当該医薬調製物が平均的なヒト患者に投与される場合、当該患者の体内で0.03mg/kg〜0.21mg/kgの濃度となる濃度で、当該医薬調製物中に存在する、当該医薬調製物。
【請求項１１】
前記化合物が、18-(p-ヨードフェニル)オクタデシルホスホコリン、1-O-[18-(p-ヨードフェニル)オクタデシル]-1,3-プロパンジオール-3-ホスホコリン、及び1-O-[18-(p-ヨードフェニル)オクタデシル]-2-O-メチル-ラク-グリセロ-3-ホスホコリンからなる群から選択され、ヨードが非放射性同位体である、請求項１０に記載の医薬調製物。
【請求項１２】
前記化合物が以下の構造
【化８】
2013504590.tif 000008
[式中、
Ｉはヨウ素の放射性同位体である]
を有し、又はその医薬として許容される塩である、請求項１０に記載の医薬調製物。
【請求項１３】
前記化合物が、18-(p-ヨードフェニル)オクタデシルホスホコリンである、請求項１０に記載の医薬調製物。
【請求項１４】
更に、以下の構造
【化９】
2013504590.tif 000009
[式中、
Xはヨウ素の放射性同位体であり；
nは12〜30の整数であり；そして
YはN+H3、HN+(R)2、N+H2R、及びN+(R)3からなる群から選択され、ここでRは、アルキル又はアリールアルキル置換基である]
を有する第二の化合物を含有する、請求項１０に記載の医薬調製物。
【請求項１５】
更に、以下の構造
【化１０】
2013504590.tif 000010
[式中、
Xはヨウ素の放射性同位体であり；
nは12〜30の整数であり；
YはH、OH、COOH、COOR及びORからなる群から選択され；そして
Zは、N+H3、HN+(R)2、N+H2R、及びN+(R)3からなる群から選択され、ここでRは、アルキル又はアリールアルキル置換基である]
を有する第二の化合物を含有する、請求項１０に記載の医薬調製物。
【請求項１６】
固形癌を治療するための請求項１０に記載の調製物であり、当該治療が、固形癌の治療を必要とする患者に当該調製物を投与する工程を含む、当該調製物。
【請求項１７】
前記非放射性リン脂質化合物が、以下の構造：
【化１１】
2013504590.tif 000011
[式中、
Ｉは非放射性である]
を有する、請求項１に記載の組み合わせ医薬剤。
【請求項１８】
前記放射性リン脂質化合物が、以下の構造：
【化１２】
2013504590.tif 000012
[式中、
Ｉは放射性である]
を有する、請求項１に記載の組み合わせ医薬剤。
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
対象における癌の治療のための医薬組成物であって、化合物Ｎ−（４−（（３−（２−アミノ−４−ピリミジニル）−２−ピリジニル）オキシ）フェニル）−４−（４−メチル−２−チエニル）−１−フタラジンアミンまたは医薬として許容できるこの塩を含み、前記対象の癌が抗癌剤での治療に難治性である、医薬組成物。
【請求項２】
抗癌剤が化学療法剤である、請求項１に記載の医薬組成物。
【請求項３】
化学療法剤が有糸分裂阻害剤およびアントラサイクリンからなる群から選択される薬剤である、請求項２に記載の医薬組成物。
【請求項４】
化学療法剤がタキソール、ドセタキセル、ビンクリスチン、ビンブラスチン、ビンデシン、およびビノレルビン、ダウノルビシン、ドキソルビシン、イダルビシン、エピルビシン、およびミトキサントロンからなる群から選択される薬剤である、請求項２に記載の医薬組成物。
【請求項５】
抗癌剤がＡＺＤ１１５２、ＰＨＡ−７３９３５８、ＭＫ−０４５７またはこれらの併用である、請求項１に記載の医薬組成物。
【請求項６】
癌が（ａ）膀胱癌、乳癌、大腸癌、腎臓癌、肝臓癌、肺癌、小細胞肺癌、食道癌、胆嚢癌、卵巣癌、膵臓癌、胃（ｓｔｏｍａｃｈ）癌、子宮頸癌、甲状腺癌、前立腺癌および皮膚癌から選択される固形または血液由来の腫瘍、（ｂ）白血病、急性リンパ性白血病、急性リンパ芽球性白血病、Ｂ細胞リンパ腫、Ｔ細胞リンパ腫、ホジキンリンパ腫、非ホジキンリンパ腫、ヘアリー細胞リンパ腫およびバーキットリンパ腫から選択されるリンパ系の造血器腫瘍、（ｃ）急性および慢性骨髄性白血病、脊髄形成異常性症候群および前骨髄球性白血病から選択される骨髄系の造血器腫瘍、（ｄ）線維肉腫および横紋筋肉腫から選択される間葉起源の腫瘍、（ｅ）星細胞腫、神経芽細胞腫、神経膠腫およびシュワン腫から選択される中枢および末梢神経系の腫瘍、または（ｆ）黒色腫、精上皮腫、奇形癌腫、骨肉腫、色素性乾皮症、角化棘細胞腫、甲状腺濾胞癌もしくはカポジ肉腫の１種以上である、請求項１〜５のいずれかに記載の医薬組成物。
【請求項７】
癌が膀胱癌、乳癌、大腸癌、腎臓癌、肝臓癌、肺癌、非小細胞肺癌、頭頸部癌、食道癌、胃（ｇａｓｔｒｉｃ）癌、卵巣癌、膵臓癌、胃（ｓｔｏｍａｃｈ）癌、子宮頸癌、甲状腺癌および前立腺癌、またはリンパ腫もしくは白血病から選択される固形腫瘍の１種以上である、請求項１〜５のいずれかに記載の医薬組成物。
【請求項８】
癌が前立腺癌、卵巣癌、乳癌、胆管腺癌、急性骨髄性白血病、慢性骨髄性白血病またはこれらの組合せである、請求項１〜５のいずれかに記載の医薬組成物。
【請求項９】
抗癌剤での治療に難治性の癌の治療用医薬の調製のための、化合物Ｎ−（４−（（３−（２−アミノ−４−ピリミジニル）−２−ピリジニル）オキシ）フェニル）−４−（４−メチル−２−チエニル）−１−フタラジンアミンまたは医薬として許容できるこの塩の使用。
【請求項１０】
抗癌剤での治療に難治性である膀胱癌、乳癌、大腸癌、腎臓癌、肝臓癌、肺癌、非小細胞肺癌、頭頸部癌、食道癌、胃（ｇａｓｔｒｉｃ）癌、卵巣癌、膵臓癌、胃（ｓｔｏｍａｃｈ）癌、子宮頸癌、甲状腺癌、前立腺癌、リンパ腫、白血病、多発性骨髄腫またはこれらの組合せから選択される癌の治療用医薬の調製のための、請求項９に記載の化合物の使用。
【請求項１１】
対象の腫瘍がパクリタキセル、ドセタキセル、ドキソルビシンおよびビンカアルカロイドからなる群から選択される化学療法剤で以前に治療された対象における固形腫瘍の大きさを低減するための、請求項９に記載の化合物の使用。
【請求項１２】
抗癌剤が有糸分裂阻害剤およびアントラサイクリンからなる群から選択される化学療法剤である、請求項９に記載の化合物の使用。
【請求項１３】
抗癌剤がタキソール、ドセタキセル、ビンクリスチン、ビンブラスチン、ビンデシン、およびビノレルビン、ダウノルビシン、ドキソルビシン、イダルビシン、エピルビシン、およびミトキサントロンからなる群から選択される化学療法剤である、請求項９に記載の化合物の使用。
【請求項１４】
抗癌剤がＡＺＤ１１５２、ＰＨＡ−７３９３５８、ＭＫ−０４５７またはこれらの併用である、請求項９に記載の化合物の使用。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
注射用水中油型(O/W)乳剤を含むワクチン組成物であって、
(i)少なくとも1つの免疫原を含む水溶液;
(ii)親水性イオン性界面活性剤を含む水溶液;
(iii)任意選択の水酸化アルミニウム含有水溶液;
(iv)鉱油;
(v)親油性非イオン性界面活性剤;
(vi)高い親水性親油性バランス(HLB)値13〜40を有する親水性非イオン性界面活性剤;および
(vii)低い親水性親油性バランス(HLB)値9〜13を有する親水性非イオン性界面活性剤
を含む前記組成物。
【請求項２】
親水性イオン性界面活性剤がサポニンであり、サポニンの濃度が約0.35mg/用量〜約3.0mg/用量であり、水酸化アルミニウムの濃度が約0%〜約1.0%(w/v)である、請求項1記載の組成物。
【請求項３】
高HLBの親水性非イオン性界面活性剤が、乳剤の質量/容量(w/v)で表して0.1〜1.5%の濃度で存在し、界面活性剤の百分率が約4質量/容量%〜約8質量/容量%である、請求項2記載の組成物。
【請求項４】
低HLBの親水性非イオン性界面活性剤が、乳剤の質量/容量(w/v)で表して1%〜8%の濃度で存在する、請求項2記載の組成物。
【請求項５】
親油性非イオン性界面活性剤が、乳剤の質量/容量(w/v)で表して0.1%〜2.5%の濃度で存在する、請求項2記載の組成物。
【請求項６】
鉱油が20%〜40%(v/v)の濃度で存在し、乳剤が約33℃〜約66℃の転相温度(PIT)を有する、請求項2記載の組成物。
【請求項７】
低HLBの親水性非イオン性界面活性剤が、エトキシル化ソルビタン脂肪酸トリエステル、エトキシル化ソルビタン脂肪酸ジエステル、エトキシル化ソルビタン脂肪酸モノエステル、エトキシル化脂肪アルコール、エトキシル化脂肪酸エトキシル化ひまし油およびそれらの組み合わせからなる群から選択され、前記エトキシル化脂肪酸エステルのエステルが、オレアート、パルミタート、ステアラート、イソステアラート、ラウラートおよびそれらの組み合わせからなる群から選択される、請求項2記載の組成物。
【請求項８】
親油性非イオン性界面活性剤が、ソルビタン脂肪酸エステル、マンニド脂肪酸エステル、ジエトキシル化マンニド脂肪酸エステル、トリエトキシル化マンニド脂肪酸エステル、テトラエトキシル化マンニド脂肪酸エステルおよびそれらの組み合わせからなる群から選択され、脂肪酸エステルのエステルがオレアート、パルミタート、ステアラート、イソステアラート、ラウラートおよびそれらの組み合わせからなる群から選択される、請求項2記載の組成物。
【請求項９】
高HLBの親水性非イオン性界面活性剤が、エトキシル化ソルビタン脂肪酸モノエステル、エトキシル化脂肪アルコール、エトキシル化脂肪酸、非イオン性ブロックコポリマーおよびそれらの組み合わせからなる群から選択され、エトキシル化ソルビタンモノエステルがエトキシル化ソルビタンモノラウラート、エトキシル化ソルビタンモノパルミタート、エトキシル化ソルビタンモノステアラート、エトキシル化ソルビタンモノオレアートおよびそれらの組み合わせからなる群から選択される、請求項2記載の組成物。
【請求項１０】
鉱油がパラフィン油、スクアラン、プリスタン、ポリイソブテン油、水添ポリイソブテン油、ポリデセン油、ポリイソプレン油、ポリイソプロペン油およびそれらの組み合わせからなる群から選択される、請求項2記載の組成物。
【請求項１１】
パラフィン油、親油性非イオン性界面活性剤としてソルビタン脂肪酸モノエステルを含み、低HLBの親水性非イオン性界面活性剤としてエトキシル化ソルビタン脂肪酸トリエステルを含み、高HLBの親水性非イオン性界面活性剤として非イオン性ブロックコポリマーを含む、請求項2記載の組成物。
【請求項１２】
ソルビタン脂肪酸モノエステルがソルビタンモノオレアートであり、エトキシル化ソルビタン脂肪酸トリエステルがエトキシル化ソルビタントリオレアートであり、非イオン性ブロックコポリマーがポリオキシエチレン/ポリオキシプロピレンポリマー(POE-POP)である、請求項9記載の組成物。
【請求項１３】
パラフィン油が10%〜40%v/vの濃度で存在し、ソルビタンモノオレアートが0.2%〜1.5%w/vの濃度で存在し、エトキシル化ソルビタントリオレアートが2%〜5%w/vの濃度で存在し、POE-POPが0.1%〜0.5%w/vの濃度で存在する、請求項12記載の組成物。
【請求項１４】
パラフィン油が29.3%v/vの濃度で存在し、ソルビタンモノオレアートが0.6%w/vの濃度で存在し、エトキシル化ソルビタントリオレアートが3.4%w/vの濃度で存在し、POE-POPが0.25%w/vの濃度で存在する、請求項12記載の組成物。
【請求項１５】
免疫原が、不活化病原体、弱毒化病原体、サブユニット、組換え発現ベクターおよびプラスミドまたはそれらの組み合わせからなる群から選択され、不活化病原体が、ウイルス、細菌、真菌、寄生性原虫またはそれらの組み合わせからなる群から選択される、請求項2記載の組成物。
【請求項１６】
免疫原が、不活化口蹄疫(FMD)ウイルス、不活化ブタサーコウイルス2型(PCV-2)ウイルスまたは不活化マイコプラズマ・ハイオニューモニエ細菌である、請求項15記載の組成物。
【請求項１７】
非ヒト動物において病原体に対して免疫学的応答を誘導する方法であって、前記動物に請求項15記載のワクチン組成物を投与することを含む前記方法。
【請求項１８】
免疫原が不活化病原体、弱毒化病原体、サブユニット、組換え発現ベクターおよびプラスミドまたはそれらの組み合わせからなる群から選択される、請求項17記載の方法。
【請求項１９】
免疫原が不活化マイコプラズマ・ハイオニューモニエ細菌、不活化ブタサーコウイルス2型(PCV-2)ウイルスまたはそれらの組み合わせからなる群から選択される、請求項17記載の方法。
【請求項２０】
投与が筋肉内(IM)、皮内(ID)または皮下(SC)注射であるか、あるいは投与が無針注射器で行われる、請求項19記載の方法。
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
無線マルチホップ・メッシュ・ネットワークにおいてルータにモバイル・ノードを割り当てる方法であって、前記ネットワークは複数のルータを有し、当該方法は、
第1ルータにおいて、
前記ネットワークに参加するためのリクエストを前記モバイル・ノードから受信し、
前記モバイル・ノードが前記ネットワークに参加した又は参加することを試みたことをサーバに通知し、
肯定的な応答を前記モバイル・ノードに送信して、前記モバイル・ノードの接続を記録し、
前記サーバにおいて、
前記モバイル・ノードと前記第1ルータとの間の関連付け記録を記録し、
前記モバイル・ノードと他のルータとの間に既に関連付け記録が存在する場合、
前記モバイル・ノードと前記他のルータとの間の接続記録を削除するための前記他のルータへのメッセージを送信する、方法。
【請求項２】
前記モバイル・ノードが周期的な時間間隔でハートビート・メッセージを送信し、前記第1ルータが前記サーバに前記ハートビート・メッセージを転送し、前記サーバは、最後に受信されたハートビート・メッセージの受信時刻によって前記関連付け記録を更新する、請求項１に記載の方法。
【請求項３】
予め定められた継続時間の間にハートビート・メッセージが受信されない場合、前記サーバは、前記モバイル・ノードと前記他のルータとの間の関連付け記録を削除し、前記モバイル・ノートとの接続をキャンセルして前記接続の記録を削除するための前記他のルータへのメッセージを送信する、請求項２に記載の方法。
【請求項４】
前記サーバは、ハートビート・メッセージの受信ごとに前記モバイル・ノードに応答を送信し、前記モバイル・ノードが予め定められた時間内に前記応答を受信しない場合、前記モバイル・ノードは新たな参加リクエストを送信する、請求項２又は請求項３に記載の方法。
【請求項５】
無線マルチホップ・メッシュ・ネットワークにおけるサーバであって、前記ネットワークは複数のルータを有し、当該サーバは、
前記ルータと通信するためのインタフェース、
モバイル・ノード・メモリを有するモバイル・ノード・マネージャ、
を有し、
前記モバイル・ノード・マネージャは、モバイル・ノードが前記ネットワークに参加した又は参加することを試みたことを通知する第1ルータにより送信されたメッセージを受信すると、
前記モバイル・ノードと前記第1ルータとの間の関連付け記録を前記モバイル・ノード・メモリに記録し、
前記モバイル・ノードと他のルータとの間に既に関連付けが存在する場合、前記モバイル・ノードと前記他のルータとの間の接続記録を削除するための前記他のルータへのメッセージを送信する、
ように構成されるサーバ。
【請求項６】
前記モバイル・ノードが周期的な時間間隔でハートビート・メッセージを送信するように構成され、前記第1ルータが前記サーバに前記ハートビート・メッセージを転送するように構成され、前記モバイル・ノード・マネージャが、最後に受信されたハートビート・メッセージの受信時刻によって前記関連付け記録を更新するように構成される、請求項５に記載のサーバ。
【請求項７】
予め定められた継続時間の間にハートビート・メッセージが受信されない場合、前記モバイル・ノードと前記他のルータとの間の前記関連付けを削除し、前記モバイル・ノードとの接続をキャンセルして前記接続の記録を削除するための前記他のルータへのメッセージを送信するように前記モバイル・ノード・マネージャが構成される、請求項６に記載のサーバ。
【請求項８】
ハートビート・メッセージの受信ごとに前記モバイル・ノードに応答を送信するように構成され、前記モバイル・ノードが予め定められた時間内に前記応答を受信しない場合に、前記モバイル・ノードが新たな参加リクエストを送信するように構成される、請求項６又は請求項７に記載のサーバ。
【請求項９】
記録媒体上に記録され、コンピュータが実行するときに請求項１に記載の方法を前記コンピュータが行うことを可能にする命令のセットを有する、コンピュータ・プログラム。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
画像符号化プロセスにおいて画像符号化単位が符号化および量子化されるための符号化モードおよび量子化パラメータを選択する方法であって：
（ａ）M個の可能な符号化モードの評価の際に、第一の型の量子化技法を有する第一の量子化プロセスを実行する段階と；
（ｂ）前記第一の量子化プロセスに基づいて、M＞M1≧1として、所定の符号化基準に従ってM1個の最良の符号化モードを選択する段階と；
（ｃ）段階（ａ）および（ｂ）が前記M個の可能な符号化モードのそれぞれについて実行されたのち、前記M1個の最良の符号化モードについて、第二の型の量子化技法を有する第二の量子化プロセスを実行する段階と；
（ｄ）前記第一の量子化プロセスおよび前記第二の量子化プロセスの結果に基づいて最良の符号化モードを選択する段階とを含んでおり、
前記第一の型の量子化技法を有する前記第一の量子化プロセスがより高速な型の量子化であり、前記第二の型の量子化技法を有する前記第二の量子化プロセスがより低速な型の量子化であり、
前記第一の量子化プロセスおよび前記第二の量子化プロセスが各量子化パラメータについて反復される、
方法。
【請求項２】
一つまたは複数の量子化パラメータの量子化された変換係数の位置および大きさについての情報が、その後の量子化パラメータの前記両量子化プロセスの間使用される、請求項１記載の方法。
【請求項３】
前記第二の量子化プロセスが、前記M個の可能な符号化モードのうち最良の符号化モード一つだけに適用される、すなわちM1＝1である、請求項１記載の方法。
【請求項４】
請求項１記載の方法であって、
（ｉ）前記第一の量子化プロセスを用いて量子化された残差の前記所定の符号化基準の値を、（ｉｉ）前記第二の量子化プロセスを用いて量子化された残差の前記所定の符号化基準の値と比較し、
前記所定の符号化基準のよりよい値を提供する残差を選択することによって、
最良の結果が選択される、方法。
【請求項５】
初期エンコード・プロセス後に最適符号化モードが選択されたのちに、前記画像符号化単位を再エンコードする段階をさらに含む、請求項１記載の方法。
【請求項６】
前記第二の量子化プロセスが、前記画像符号化単位の再エンコードを実行している間に実行される、請求項５記載の方法。
【請求項７】
再エンコードすることが最適な予測モードを評価することを含む、請求項６記載の方法。
【請求項８】
前記再エンコード・プロセスの間に予測モードの部分集合が評価される、請求項７記載の方法。
【請求項９】
前記再エンコード・プロセスの間に評価される予測モードの前記部分集合が、初期エンコード・プロセス後に選ばれた最適予測モードに基づいて選択される、請求項８記載の方法。
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
少なくとも３Ｄビデオの第１チャンネルに基づいて第１のカメラデータパラメータを決定することと、
少なくとも３Ｄビデオの第１チャンネルと３Ｄビデオの第２チャンネルとの関係に基づいて第２のカメラデータパラメータを決定することと、
前記第１のカメラデータパラメータおよび前記第２のカメラデータパラメータと調整された複合カメラモデルを生成することと、
前記複合カメラモデルに基づいてエンハンスメントを３Ｄビデオに挿入することと、を含む方法。
【請求項２】
さらに、前記第１のカメラデータパラメータおよび前記第２のカメラデータパラメータを調整することを含む、請求項１に記載の方法。
【請求項３】
さらに、前記３Ｄビデオの前記第１および第２チャンネルのうち少なくとも１つの視覚分析に基づいて前記カメラデータパラメータを導出することを含む、請求項１に記載の方法。
【請求項４】
前記カメラデータパラメータが接眼レンズ間隔またはトーアングルを含む、請求項１に記載の方法。
【請求項５】
さらに、前記カメラデータパラメータに基づいて、前記３Ｄビデオと関連した３Ｄカメラシステムを自動的に調整することを含む、請求項１に記載の方法。
【請求項６】
前記第１および第２のカメラデータパラメータのうち少なくとも１つが前記３Ｄビデオと関連した３Ｄカメラシステムから得られる、請求項１の方法。
【請求項７】
さらに、少なくとも前記第１チャンネルの検索分析に基づいて前記第１および第２のカメラデータパラメータを決定することを含む、請求項１に記載の方法。
【請求項８】
前記検索分析がボクセルに基づく、請求項７に記載の方法。
【請求項９】
さらに、前記３Ｄビデオの前記第１チャンネルと第２チャンネルとの間の関係に基づいて検索分析を制約することを含む、請求項７に記載の方法。
【請求項１０】
さらに、前記第１チャンネルの少なくともトラッキング分析に基づいて前記第１および第２のカメラデータパラメータを更新することを含む、請求項１に記載の方法。
【請求項１１】
さらに、前記複合カメラモデルに基づいて前記エンハンスメントをオクルードすることを含む、請求項１に記載の方法。
【請求項１２】
さらに、受信された入力に従って前記エンハンスメントを３Ｄ位置にインタラクティブに配置することを含む、請求項１に記載の方法。
【請求項１３】
前記エンハンスメントがレンダリングした３次元視覚要素である、請求項１に記載の方法
【請求項１４】
さらに、前記３Ｄビデオおよび一種の前記エンハンスメントのシーン構成に従って前記エンハンスメントを３Ｄ位置に自動的に置くことを含む、請求項１に記載の方法。
【請求項１５】
３Ｄビデオの少なくとも第１チャンネルおよび前記３Ｄビデオの第２チャンネルに基づいて基準カメラモデルを決定することと、
前記基準カメラモデルおよび前記３Ｄビデオの前記第１チャンネルおよび第２チャンネルに関連したオフセットに基づいて第１のカメラモデルを導出することと、
前記基準カメラモデルおよび前記オフセットに基づいて第２のカメラモデルを導出することと、
前記第１および第２のカメラモデルに基づいて前記３Ｄビデオにエンハンスメントを挿入することと、を含む方法。
【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
第１音響トランスデューサと、ワイヤレス信号を送受信をする第１トランシーバとを備える第１音響スピーカデバイスと、
第２音響トランスデューサと、ワイヤレス信号を送受信をする第２トランシーバとを備える第２音響スピーカデバイスとを備えており、
前記第１音響スピーカデバイスと第２音響スピーカデバイスは、ワイヤレスに通信し、
前記第１音響スピーカデバイスは、(１)デジタルオーディオデータと(２)同期データとを含むデータを、前記第１スピーカデバイスと前記第２音響スピーカデバイスとによる前記デジタルオーディオデータの再生を同期させるために前記第２音響スピーカデバイスにワイヤレスに送信し、
前記第１音響スピーカデバイスは、コネクション型通信プロトコルを介して、前記第２音響スピーカデバイスへワイヤレスに前記デジタルオーディオデータを送信し、
前記第１音響スピーカデバイスは、コネクションレス型通信プロトコルを介して、前記第２音響スピーカデバイスに前記同期データをワイヤレスに送信する装置。
【請求項２】
前記コネクション型通信プロトコルを介して送信される前記デジタルオーディオデータは、ＴＣＰ／ＩＰプロトコルデータパケットを含む、請求項１に記載の装置。
【請求項３】
前記コネクションレス型通信プロトコルを介して送信される前記同期データは、ＵＤＰプロトコルデータパケットを含む、請求項１に記載の装置。
【請求項４】
前記コネクションレス型通信プロトコルを介して送信される前記同期データは、ＩＣＭＰメッセージを含む、請求項１に記載の装置。
【請求項５】
前記コネクション型通信プロトコルを介して送信される前記デジタルオーディオデータは、ＴＣＰ／ＩＰプロトコルデータパケットを含み、
前記コネクションレス型通信プロトコルを介して送信される前記同期データは、ＵＤＰプロトコルデータパケットを含む、請求項１に記載の装置。
【請求項６】
前記第１音響スピーカデバイスは、第１イヤホンを含み、前記第２音響スピーカデバイスは、第２イヤホンを含む、請求項１乃至５の何れかに記載の装置。
【請求項７】
前記第１音響スピーカデバイスによって前記第２音響スピーカデバイスに送信される前記デジタルオーディオデータは、前記第１音響オーディオデバイスの第１バッファにバッファリングされて、第１ワイヤレス通信リンクを介してワイヤレスデジタル音源から受信した受信デジタルオーディオデータを含んでおり、
前記第１音響スピーカデバイスは、第２ワイヤレス通信リンクを介して、ワイヤレスに前記第２音響スピーカデバイスへ送信する、請求項１乃至６の何れかに記載の装置。
【請求項８】
前記同期データは、前記第１音響スピーカデバイスのオーディオ再生データを含む、請求項１乃至７の何れかに記載の装置。
【請求項９】
前記同期データは、クロック同期データを含む、請求項１乃至７の何れかに記載の装置。
【請求項１０】
前記同期データは、前記第１音響スピーカデバイスの前記第１バッファのバッファステータスデータを含んでおり、
前記第２音響スピーカデバイスは、前記第１音響スピーカデバイスから受信した前記デジタルオーディオデータをバッファリングするための第２バッファを備える、請求項７に記載の装置。
【請求項１１】
前記第２音響スピーカデバイスは、前記第１音響スピーカデバイスからの同期データの受信間の時間間隔をトラッキングするように構成されている、請求項１０に記載の装置。
【請求項１２】
前記第２音響スピーカデバイスは、前記第１音響スピーカデバイスからの同期データの受信間のトラッキングされた時間間隔に基づいて、前記第２音響スピーカデバイスの前記第２バッファのステータス調節を計算するように構成されている、請求項１１に記載の装置。
【請求項１３】
前記第１音響スピーカデバイスと前記第２音響スピーカデバイスは、動作期間の後、前記第２音響スピーカデバイスが、(１)前記コネクション型通信プロトコルを介してデジタルオーディオデータを、(２)前記コネクションレス型通信プロトコルを介して同期データを、前記第１音響スピーカデバイスへワイヤレスに送信するように構成されている、請求項１乃至１２の何れかに記載の装置。
【請求項１４】
ワイヤレスに通信する第１音響スピーカデバイスと第２音響スピーカデバイスとによるオーディオ再生を同期するための方法であって、
(１)デジタルオーディオデータと(２)同期データとを含むデータを、前記第１スピーカデバイスと前記第２音響スピーカデバイスとによる前記デジタルオーディオデータの再生を同期させるために、前記第１音響スピーカデバイスが、ワイヤレスに前記第２音響スピーカデバイスへ送信する工程を含んでおり、
前記第１音響スピーカデバイスは、コネクション型通信プロトコルを介して、前記第２音響スピーカデバイスへ前記デジタルオーディオデータをワイヤレスに送信し、
前記第１音響スピーカデバイスは、コネクションレス型通信プロトコルを介して、前記第２音響スピーカデバイスへ前記同期データをワイヤレスに送信する方法。
【請求項１５】
前記第１音響スピーカデバイスが、第１ワイヤレス通信リンクを介して、ワイヤレスデジタル音源からのデジタルオーディオデータをワイヤレスで受信する工程と、
前記第１音響スピーカデバイスが、前記ワイヤレスデジタル音源からの前記デジタルオーディオデータを、前記第１音響スピーカデバイスの第１バッファにバッファリングする工程とを含み、
前記第１音響スピーカデバイスによって、前記第２音響スピーカデバイスへ送信される前記デジタルオーディオデータは、前記第１音響スピーカデバイスの前記第１バッファにバッファリングされるデジタルオーディオデータを含む、請求項１４に記載の方法。
【請求項１６】
前記第２音響スピーカデバイスが、前記第１音響スピーカデバイスからの前記同期データの受信間の時間間隔をトラッキングする工程を更に含む、請求項１５に記載の方法。
【請求項１７】
前記第２音響スピーカデバイスが、前記第１音響スピーカデバイスからの前記同期データの受信間のトラッキングされた時間間隔に基づいて、前記第２音響スピーカデバイスの前記第２バッファのステータス調節を計算する工程を更に含む、請求項１６に記載の方法。